(57)【特許請求の範囲】
【請求項１】
押し棒を前進又は後退させるためのノック釦及びノックバネから構成されるノック機構を備えた文具などのノック構造に於いて、押し棒の前方部が軸心または軸心に対し偏心した位置でその断面が異形や扁平になされると共に、押し棒の外周に取付けられるノックバネ前端の線端部が屈曲されて、そこに形成されるガイド部に押し棒の前方部が揺動無く嵌挿されることを特徴とする文具などのノック構造。
【請求項２】
ノックバネの後端にリード角の傾斜を有する略水平方向に屈曲した線端部を設け、このノックバネの後端の線端部を、押し棒に形成した鍔部の前面に当接させると共にノックバネが押し棒に対し脱落不能に係止されてなる請求項１に記載の文具などのノック構造。
【請求項３】
鉛筆の削り上がりの芯径を調節する為に、位置を変化させる芯当て板に先端を当接させる押し棒が、鉛筆削り器の切刃に干渉しないように配設されてなる請求項１または２に記載の文具などのノック構造。
【発明の詳細な説明】
【０００１】
【発明の属する技術分野】
本発明は、文具などに於いて、ノックバネで後方に附勢され、ノック釦と連動して前後動する押し棒を有したノック構造の改良に関する。
【０００２】
【従来の技術】
従来から鉛筆の削り上がりの芯径を変化できるようにした鉛筆削り器が存在し、その芯径調節の手段として、鉛筆の芯の先端が当接する芯当て板と、その芯当て板の位置を変化させるために該芯当て板に先端を当接させる押し棒と、該押し棒を前進又は後退させるためのノック釦やノックバネ等から構成されるノック機構とを備えた構造のものが存在する。ところで、そのような構造の鉛筆削り器（図１及び図２に示される）に於いて、鉛筆の削り上がりの芯径を設定する為にノック釦を押して押し棒を前進させることになるが、鉛筆削り器の構造上から押し棒の前端が切刃に干渉する問題がある。そのため、押し棒の前方部の片側を切り欠いて、断面を扁平になすことにより切刃が干渉しないようにしている。しかしながら、押し棒の前方部を扁平と成したが故にノックバネの変形やノックバネの内径に対する大きな遊びによって押し棒の前端が前後動の軸心方向に対して偏心し、切刃に干渉して切刃を傷めたり、ノック棒あるいは切刃を破損する事故がある。
【０００３】
また図３に示すノックバネ２は、後端側に略水平方向に屈曲させた線端部２ａを有しており、その線端部２ａによってバネ端部が押し棒１に対して嵌着されると共に押し棒１の先端が切刃に近づかないよう規制される筈のものであったが、ノックバネのピッチが適宜大きい場合には押し棒１の前端が前後動の軸心方向に対して偏心する場合が生じてしまい、切刃との干渉を確実に回避できる状態には至らなかった。
【０００４】
【発明が解決しようとする課題】
そこで本発明は、上述した記鉛筆削り器の問題を解決すると共に、文具などに於いて、ノックバネで後方に附勢され、ノック釦と連動して前後動する押し棒の前方部が扁平あるいは異形となされても、その前方に位置した物品を正常に作動させることを可能とする。
【０００５】
【課題を解決するための手段】
本発明は、上記課題を達成するために以下の構成を有する。請求項１に記載の発明に係る文具などのノック構造は、押し棒を前進又は後退させるためのノック釦及びノックバネから構成されるノック機構を備えた文具などのノック構造に於いて、押し棒の前方部が軸心または軸心に対し偏心した位置でその断面が異形や扁平になされると共に、押し棒の外周に取付けられるノックバネ前端の線端部が屈曲されて、そこに形成されるガイド部に押し棒の前方部が揺動無く嵌挿されることを特徴とする。
【０００６】
請求項２に記載の発明に係る文具などのノック構造は、請求項１に記載の発明文具などのノック構造に於いて、ノックバネの後端にリード角の傾斜を有する略水平方向に屈曲した線端部を設け、このノックバネの後端の線端部を、押し棒に形成した鍔部の前面に当接させると共にノックバネが押し棒に対し脱落不能に係止されてなる。
【０００７】
請求項３に記載の発明に係る文具などのノック構造は、請求項１または２に記載の発明文具などのノック構造に於いて、鉛筆の削り上がりの芯径を調節する為に、位置を変化させる芯当て板に先端を当接させる押し棒が、鉛筆削り器の切刃に干渉しないように配設されてなる。
【０００８】
【実施例】
以下、本発明の一実施例を図面に基づき説明する。図１及び図２は鉛筆削り器の切削機構部を示したもので、図１はその全体を示す外観図、図２は要部の構造を一部段面して示した図である。まず、回転軸４は手動式ハンドルの操作によって回転するようになっており、この回転軸４には切刃３が円錘状に回転するように傾けて取付けられている。
【０００９】
切刃３の後端部の傍で、鉛筆挿入孔の奥には、鉛筆の芯の先端を当接させる芯当て板６が配設され、この芯当て板６は切刃３の円筒面に対して平行に移動可能となっている。この芯当て板１の後方の回転軸９において鉛筆挿入孔の延長線上には横孔９が設けられ、この横孔には押し棒１が挿入されると共に、その押し棒を前進又は後退させるためのノック機構１０が取付けられている。このノック機構１０は、いわゆるカーン式と称されて、一般的なノック式ボールペンに採用されているもので、ノック釦５と、内面にカムや溝（図示せず）を形成した筒体と、筒体の内部に収容された回転子（図示せず）と、押し棒１の外周に取付けられて押し棒と共に回転子やノック釦５を後方へ付勢するノックバネ２とによって構成されている。
【００１０】
ノック釦５をノックすると、回転子が一定角度回転すると共に筒体の内面に設けたカムの前端に係止して前進状態を維持し、次にノック釦５をノックすると、回転子が再び一定角度回転して係止状態を解消することによりノックバネ２の力で溝を後退するようになっている。そして、押し棒１は後端を回転子に接触させて回転子と共に前進又は後退する。
【００１１】
押し棒１の前端は上記の芯当て板６の後面に当接して、押し棒１が前進すると芯当て板６は押されて前方へ移動する。押し棒１の前端部の切刃３と対向する側面には切り欠きがあり、断面は略半円形又は矩形上に扁平となっている。また押し棒１の略中央部には断面が矩形（図示せず）の鍔部１１を一体的に形成している。横孔９に於いて押し棒１の鍔部１１が挿入している箇所の断面も矩形となっていて、押し棒１は回転軸４に対し回転止めされている。
【００１２】
ノックバネ２はコイル状で上記のように押し棒１の外周に取付けられ、その後端は鍔部１１の前面に当接している。なお、上述した実施例の内容は従来例と共通の構成である。
【００１３】
従来、通常のノック機構に使用されるノックバネは両端が平行になっているが、鉛筆削り器の従来例では、図３に示すように、後端にリード角の傾斜を有する略水平に屈曲させた線端部２ａを有しており、このノックバネ２の後端の線端部を、押し棒に形成した鍔部の前面に当接させると共にノックバネが押し棒に対し脱落不能に係止されている。
【００１４】
（実施例の要旨）図４は実施例１である文具などのノック構造を構成するノックバネ７と押し棒１の形態で、鉛筆削り器への対応として示している。図に示すように、ノックバネ７の前端には、適宜小径に巻かれた線端部７ｂがノックバネ７のコイル径の一方に寄った状態に形成されて、その小径の線端部７ｂの外周とコイル径の内周との間に形成される空間（ガイド部）に、軸心に対し偏心した位置で断面が扁平に設けられた押し棒１の前方部が嵌挿されると共に、ノックバネ７の伸縮に伴い揺動無く前後動可能となされる。また、後端にリード角の傾斜を有する略水平に屈曲させた線端部７ａを有しており、このノックバネ７の後端の線端部７ａを、押し棒１に形成した鍔部の前面に当接させると共にノックバネ７が押し棒１に対し脱落不能に係止される。なお、この線端部７ａは基本構成として必須のものではなく、ノックバネ７を押し棒１に取り付ける際のガイドや脱落防止として有効となるものである。また、それ以外の構成は上述した従来例と同じであり、説明は省略する。
【００１５】
また、図５は実施例２である文具などのノック構造を構成するノックバネ８と押し棒１の形態で、やはり鉛筆削り器への対応として示している。図に示すように、ノックバネ８の前端には、略水平に屈曲させた線端部８ｂが形成されており、その線端部８ｂとノックバネ８のコイル径の内周との間に形成される空間（ガイド部）に、軸心に対し偏心した位置で断面が扁平に設けられた押し棒１の前方部が嵌挿されると共に、ノックバネ８の伸縮に伴い揺動無く前後動可能となされる。なお、後端の線端部８ａも実施例１と同様である。
【００１６】
また押し棒は、種々の文具への対応として前方部が軸心または軸心に対し偏心した位置でその断面が異形や扁平になされると共に、押し棒の外周に取付けられるノックバネ前端の線端部がそれに対応したガイド部として形成される。
【００１７】
【作用】
ノック釦５を押して押し棒１を前進させると、ノックバネ７あるいは８が圧縮しながら押し棒１の前方部がノックバネの前端に形成されたガイド部に案内されて摺動するので、押し棒１の前方部が傾くことも無く、押し棒１の前端が切刃３に干渉することが防止される。
【００１８】
【発明の効果】
本発明は、上述したように鉛筆削り器の芯径を調節する為に設けられたノック構造に於いて、ノック釦を押して押し棒を前進させたときに切刃との干渉を確実に防止でき、従って、切刃を傷めたり、切刃や押し棒を破損する問題が回避できる。また文具などに於いても、ノック釦と連動して前後動する押し棒の前方部が扁平あるいは異形となされていても、その前方に位置した物品を正常に作動させることが可能である。
【図面の簡単な説明】
【図１】鉛筆削り器の切削機構部を示す外観図である。
【図２】切削機構部の要部を一部断面して示した図である。
【図３】従来例の鉛筆削り器のノック構造を構成するノックバネと押し棒の形態を示した図である。
【図４】実施例１である文具などのノック構造を構成するノックバネと押し棒の形態を示した図である。
【図５】実施例２である文具などのノック構造を構成するノックバネと押し棒の形態を示した図である。
【符号の説明】
１ 押し棒
２ ノックバネ
２ａ 線端部
３ 切刃
４ 回転軸
５ ノック釦
６ 芯当て板
７ ノックバネ
７ａ 線端部
７ｂ 線端部
８ ノックバネ
８ａ 線端部
８ｂ 線端部
９  横孔
１０ ノック機構
１１ 鍔部
【図１】
0004584467.tif 000002
【図２】
0004584467.tif 000003
【図３】
0004584467.tif 000004
【図４】
0004584467.tif 000005
【図５】
0004584467.tif 000006